(57)【要約】【課題】  ライン反転による充電率低下を除去するアレイ基板とこれを有する表示装置、その駆動装置及び駆動方法が開示される。【解決手段】  アレイ基板は、第１方向に形成されたｍ個のデータラインと、第２方向に形成されたｎ個のスキャンラインと、データラインとスキャンラインによって定義される領域に形成されたｍ×ｎ（ｍ、ｎは、自然数）個のピクセル及びスキャンラインに延長され、スキャンラインにスキャン信号を出力するスキャン駆動部の出力端子と接触する複数の接触端子を含む。この際、Ｋ（Ｎ＋１）（Ｋ、Ｎは、自然数）番目スキャン信号の出力端子は、スキャンラインと連結されない。これによって、Ｎ−ライン反転時、Ｋ（Ｎ＋１）番目スキャンラインと連結されたピクセルの充電率低下の問題点を解決することができる。【選択図】            図４
2006039542.tif 000002
【特許請求の範囲】
【請求項１】
Ｎ（Ｎは、自然数）−ライン反転方式を有する表示装置のアレイ基板において、
第１方向に形成されたｍ個のデータラインと、
第２方向に形成されたｎ個のスキャンラインと、
前記データラインと前記スキャンラインとによって定義される領域に形成されたｍ×ｎ（ｍ、ｎは、自然数）個のピクセルと、
前記スキャンラインに延長され、前記スキャンラインにスキャン信号を出力するスキャン駆動部の出力端子と接触する複数の接触端子と、を含み、
Ｋ（Ｎ＋１）（Ｋ、Ｎは、自然数）番目スキャン信号の出力端子は、前記スキャンラインと連結されないことを特徴とするアレイ基板。
【請求項２】
前記ピクセルには、第１電流電極が前記データラインに連結され、制御電極が前記スキャンラインに連結されたスイッチング素子が形成され、前記スイッチング素子は、アモルファスシリコン薄膜トランジスタであることを特徴とする請求項１記載のアレイ基板。
【請求項３】
前記スキャン駆動部は、複数のステージが連結され、スキャン開始信号の入力によって各ステージの出力信号を前記スキャンラインに出力するシフトレジスタであり、
Ｋ（Ｎ＋１）番目ステージの出力端子は、前記スキャンラインと連結されないことを特徴とする請求項１記載のアレイ基板。
【請求項４】
前記シフトレジスタは、複数のアモルファスシリコン薄膜トランジスタを含むことを特徴とする請求項３記載のアレイ基板。
【請求項５】
複数のデータライン、複数のスキャンライン、及び前記データラインとスキャンラインに連結された複数のピクセルを有する表示部と、
前記ピクセルを充電させる有効データと、前記ピクセルを充電させない無効データを前記データラインに出力するデータ駆動部と、
前記有効データに対応するスキャンラインを活性化させるスキャン信号を前記スキャンラインに出力し、前記無効データに対応する無効スキャン信号を生成するスキャン駆動部と、
基準電圧対比第１極性を有するＮ個の有効データを前記データラインに出力し、Ｎ番目有効データに後続して前記基準電圧対比第２極性を有する無効データを前記データラインに出力し、前記無効データに後続して前記第２極性を有するＮ個の有効データを前記データラインに出力するように前記データ駆動部を制御する制御部と、を含む表示装置。
【請求項６】
前記無効スキャン信号は、前記スキャンラインへの出力が遮断され前記無効データに対応するスキャンラインが非活性化されることを特徴とする請求項５記載の表示装置。
【請求項７】
前記無効データによって前記データラインに出力が遅延された前記有効データを一時貯蔵する貯蔵部を更に含み、
前記制御部は、前記貯蔵部に貯蔵された前記有効データを先入れ先出し方式で前記データ駆動部に提供することを特徴とする請求項５記載の表示装置。
【請求項８】
前記制御部は、垂直ブランキング区間中、
前記遅延された有効データを前記データラインに出力するように前記データ駆動部を制御して、
前記遅延された有効データに対応するスキャンラインを活性化させるスキャン信号を前記スキャンラインに出力するように前記スキャン駆動部を制御することを特徴とする請求項７記載の表示装置。
【請求項９】
前記スキャン駆動部は、隣接する２個のスキャンラインを活性化させる２Ｈ区間に対応するパルス幅を有するスキャン信号を出力することを特徴とする請求項８記載の表示装置。
【請求項１０】
前記スキャン駆動部は、
互いに反転された基準電圧対比極性を有する有効データと無効データに対応する２個の隣接するスキャンラインを活性化させるために、２Ｈ区間に対応するパルス幅を有する無効スキャン信号を生成することを特徴とする請求項９記載の表示装置。
【請求項１１】
外部から入力される第１制御信号を前記無効データ及び前記無効スキャン信号を処理するための第２制御信号に変更する信号処理部を更に含み、
前記制御部は、前記第２制御信号に基づいて前記データ駆動部及び前記スキャン駆動部を制御することを特徴とする請求項５記載の表示装置。
【請求項１２】
前記第１制御信号に基づいて入力される前記有効データを一時貯蔵する貯蔵部を含み、
前記制御部は、前記貯蔵部に貯蔵された前記有効データを前記第２制御信号に基づいて先入れ先出し方式で前記データ駆動部に提供することを特徴とする請求項１１記載の表示装置。
【請求項１３】
複数のデータライン、複数のスキャンライン、及び前記データラインとスキャンラインに連結され形成された複数のピクセルを有する表示装置の駆動装置において、
前記ピクセルを充電させる有効データと無効データを前記データラインに出力するデータ駆動部と、
前記有効データに対応するスキャンラインを活性化させるスキャン信号を前記スキャンラインに出力して、前記無効データに対応する無効スキャン信号を生成するスキャン駆動部と、
基準電圧対比第１極性を有するＮ個の有効データを前記データラインに出力して、Ｎ番目有効データに後続して前記基準電圧対比第２極性を有する無効データを前記データラインに出力して、前記無効データに後続して前記第２極性を有するＮ個の有効データを前記データラインに出力するように前記データ駆動部を制御する制御部と、を含む表示装置の駆動装置。
【請求項１４】
前記無効スキャン信号は、前記スキャンラインへの出力が遮断され前記無効データに対応するスキャンラインが非活性化されることを特徴とする請求項１３記載の表示装置の駆動装置。
【請求項１５】
前記無効データによって前記データラインに出力が遅延された前記有効データを一時貯蔵する貯蔵部を更に含み、
前記制御部は、前記貯蔵部に貯蔵された前記有効データを先入れ先出し方式で前記データ駆動部に提供することを特徴とする請求項１３記載の表示装置の駆動装置。
【請求項１６】
前記制御部は、垂直ブランキング区間中、
前記遅延された有効データを前記データラインに出力するように前記データ駆動部を制御して、
前記遅延された有効データに対応するスキャンラインを活性化させるスキャン信号を前記スキャンラインに出力するように前記スキャン駆動部を制御することを特徴とする請求項１５記載の表示装置の駆動装置。
【請求項１７】
前記スキャン駆動部は、
隣接する２個のスキャンラインを活性化させる２Ｈ区間に対応するパルス幅を有するスキャン信号を出力することを特徴とする請求項１３記載の表示装置の駆動装置。
【請求項１８】
前記スキャン駆動部は、
互いに反転された基準電圧対比極性を有する有効データと無効データに対応する２個の隣接するスキャンラインを活性化させるために、２Ｈ区間に対応するパルス幅を有する無効スキャン信号を生成することを特徴とする請求項１７記載の表示装置の駆動装置。
【請求項１９】
外部から入力される第１制御信号を前記無効データ及び前記無効スキャン信号を処理するための第２制御信号に変更する信号処理部を更に含み、
前記制御部は、前記第２制御信号に基づいて前記データ駆動部及び前記スキャン駆動部を制御することを特徴とする請求項１３記載の表示装置の駆動装置。
【請求項２０】
前記第１制御信号に基づいて入力される前記有効データを一時貯蔵する貯蔵部を含み、
前記制御部は、前記貯蔵部に貯蔵された前記有効データを前記第２制御信号に基づいて先入れ先出し方式で前記データ駆動部に提供することを特徴とする請求項１９記載の表示装置の駆動装置。
【請求項２１】
複数のデータライン、複数のスキャンライン、及び前記データラインとスキャンラインに連結され形成された複数のピクセルを有する表示部を含む表示装置の駆動方法において、
（ａ）Ｎ−ライン反転（Ｎは、自然数）によって基準電圧対比第１極性を有するＮ個の有効データを前記データラインに順次に出力して、前記有効データに対応する前記スキャンラインを活性化させる段階と、
（ｂ）Ｎ番目前記有効データに後続して、前記基準電圧対比前記第２極性の無効データを前記データラインに出力して、前記無効データに対応する無効スキャン信号を生成して、前記無効データに対応するスキャンラインを非活性化させる段階と、を含む表示装置の駆動方法。
【請求項２２】
前記無効データによって前記データラインに出力が遅延された前記有効データを一時貯蔵する段階を更に含むことを特徴とする請求項２１記載の表示装置の駆動方法。
【請求項２３】
前記遅延された有効データ及び前記遅延された有効データに対応するスキャンラインを活性化させるスキャン信号は、
垂直ブランキング区間中、前記データライン及び前記スキャンラインに出力されることを特徴とする請求項２２記載の表示装置の駆動方法。
【請求項２４】
前記スキャン信号は、
隣接する２個のスキャンラインを活性化させる２Ｈ区間に対応するパルス幅を有することを特徴とする請求項２１記載の表示装置の駆動方法。
【請求項２５】
前記無効スキャン信号は、
互いに反転された基準電圧対比極性を有する有効データと無効データに対応する２個の隣接するスキャンラインを活性化させるために、２Ｈ区間に対応するパルス幅を有することを特徴とする請求項２４記載の表示装置の駆動方法。
【請求項２６】
外部から入力される第１制御信号を前記無効データ及び前記無効スキャン信号を処理するための第２制御信号に変更する段階を更に含み、
前記段階（ａ）及び（ｂ）は、前記第２制御信号に基づいて制御されることを特徴とする請求項２１記載の表示装置の駆動方法。
【請求項２７】
ｎ個のスキャンラインに対応するｎ個の有効データを前記データラインに出力させるスキャニング区間の間に、
前記第１制御信号は、ｎ個のクロック数を有し、
前記第２制御信号は、ｎ＋（ｎ／Ｎ）個（ｎ／Ｎは、小数部分が除外された正の整数）のクロック数を有することを特徴とする請求項２６記載の表示装置の駆動方法。
【発明の詳細な説明】
【技術分野】
【０００１】
本発明は表示装置に係り、より詳細には、充電率低下を除去するためのアレイ基板とこれを有する表示装置、その駆動装置、及び駆動方法に関する。
【背景技術】
【０００２】
一般的な液晶表示装置は、液晶表示パネル、及び前記液晶表示パネルを駆動する駆動部を有する。液晶表示パネルは、アレイ基板と上部基板及び前記アレイ基板と上部基板の間に介在された液晶層を有する。
【０００３】
前記アレイ基板は、互いに交差する多数のデータライン及びスキャンラインを有し、前記データライン及びスキャンラインによって定義される多数のピクセルを有する。
【０００４】
前記ピクセルは、スイッチング素子、液晶キャパシタ、及びストレージキャパシタを有し、前記スイッチング素子のゲート電極はスキャンラインと連結され、ソース電極は前記データラインに連結され、ドレイン電極は前記液晶キャパシタの第１電極であるピクセル電極と連結される。
【０００５】
前記ストレージキャパシタは、前記ゲート電極と前記ピクセル電極によって定義される。
【０００６】
前記上部基板は、前記ピクセルに対応して色相を有するカラーフィルターを有し、前記液晶キャパシタの第２電極である共通電極を有する。
【０００７】
このような液晶表示装置の液晶は、持続的に一方向の電圧が印加されると、前記液晶層が劣化する特性を有する。このような液晶の劣化を防止するために、液晶表示装置は、液晶に印加される電圧の極性を一定の周期に基準電圧対比反転させる反転方式を採用している。
【０００８】
例えば、フレーム単位で極性を反転するフレーム反転方式、ライン単位で極性を反転するライン反転方式、及びドット単位で極性を反転するドット反転方式等を基本として、多様な反転方式が開発されている。
【０００９】
第１極性から第２極性に反転される時、電圧降下（Ｉ）現象が発生して、これによって極性が反転された水平ラインのピクセルは、相対的に極性が維持される水平ラインのピクセルより充電率が低下される問題点を有する。
【００１０】
このような充電率の低下は、液晶表示装置の画面上に横じまを発生させる。即ち、ノーマリホワイトモードでは明るい横じまが発生して、ノーマリブラックモードでは暗い横じまが発生する。また、充電率の低下は、高解像度及び動画像の応答特性を低下させる原因となってしまう。
【発明の開示】
【発明が解決しようとする課題】
【００１１】
本発明は、このような従来の問題点を解決するためのものであって、本発明の第１目的は、ライン反転時、充電率の低下を除去するためのアレイ基板を提供することにある。
【００１２】
本発明の第２目的は、前記アレイ基板を有する表示装置を提供することにある。
【００１３】
本発明の第３目的は、前記表示装置の駆動装置を提供することにある。
【００１４】
本発明の第４目的は、前記表示装置の駆動方法を提供することにある。
【課題を解決するための手段】
【００１５】
前記した本発明の第１目的を実現するための実施例によるアレイ基板は、第１方向に形成されたｍ個のデータライン、第２方向に形成されたｎ個のスキャンライン、前記データラインと前記スキャンラインとによって定義される領域に形成されたｍ×ｎ（ｍ、ｎは、自然数）個のピクセル、及び前記スキャンラインに延長され、前記スキャンラインにスキャン信号を出力するスキャン駆動部の出力端子と接触する複数の接触端子を含み、Ｋ（Ｎ＋１）（Ｋ、Ｎは、自然数）番目スキャン信号の出力端子は、前記スキャンラインと連結されないことを特徴とする。
【００１６】
前記した本発明の第２目的を実現するための実施例による表示装置は、表示部、データ駆動部、スキャン駆動部、及び制御部を含む。
【００１７】
前記表示部は、複数のデータライン、複数のスキャンライン、及び前記データラインとスキャンラインに連結され形成された複数のピクセルを有する。前記データ駆動部は、前記ピクセルを充電させる有効データと、前記ピクセルを充電させない無効データを前記データラインに出力する。前記スキャン駆動部は、前記有効データに対応するスキャンラインを活性化させるスキャン信号を前記スキャンラインに出力し、前記無効データに対応する無効スキャン信号を生成する。前記制御部は、基準電圧対比第１極性を有するＮ個の有効データを前記データラインに出力し、Ｎ番目有効データに後続して前記基準電圧対比第２極性を有する無効データを前記データラインに出力し、前記無効データに後続して前記第２極性を有するＮ個の有効データを前記データラインに出力するように前記データ駆動部を制御する。
【００１８】
前記した本発明の第３目的を実現するための実施例による複数のデータライン、複数のスキャンライン、及び前記データラインとスキャンラインに連結され形成された複数のピクセルを有する表示部を含む表示装置の駆動装置は、データ駆動部、スキャン駆動部、及び制御部を含む。
【００１９】
前記データ駆動部は、前記ピクセルを充電させる有効データと、前記ピクセルを充電させない無効データを前記データラインに出力する。前記スキャン駆動部は、前記有効データに対応するスキャンラインを活性化させるスキャン信号を前記スキャンラインに出力して、前記無効データに対応する無効スキャン信号を生成する。前記制御部は、基準電圧対比第１極性を有するＮ個の有効データを前記データラインに出力して、Ｎ番目有効データに後続して前記基準電圧対比第２極性を有する無効データを前記データラインに出力して、前記無効データに後続して前記第２極性を有するＮ個の有効データを前記データラインに出力するように前記データ駆動部を制御する。
【００２０】
前記した本発明の第４目的を実現するための実施例による複数のデータライン、複数のスキャンライン、及び前記データラインとスキャンラインに連結され形成された複数のピクセルを有する表示部を含む表示装置の駆動方法において、（ａ）Ｎ−ライン反転によって基準電圧対比第１極性を有するＮ個の有効データを前記データラインに順次に出力して、前記有効データに対応する前記スキャンラインを活性化させる段階、及び（ｂ）Ｎ番目前記有効データに後続して、前記基準電圧対比前記第２極性の無効データを前記データラインに出力して、前記無効データに対応する無効スキャン信号を生成して、前記無効データに対応するスキャンラインを非活性化させる段階を含む。
【発明の効果】
【００２１】
このようなアレイ基板とこれを有する表示装置、その駆動装置、及び駆動方法によると、ライン反転による充電率低下の問題点を解決することができる。
【発明を実施するための最良の形態】
【００２２】
以下、添付図面を参照して、本発明をより詳細に説明する。
【００２３】
図１は、従来のＮ−ライン反転方式の一例として、Ｎ−ライン−ドット反転方式を示す図である。
【００２４】
図１を参照すると、Ｎ−ライン−ドット反転方式は、ピクセル（又は、ドット）は隣接したピクセルに対して極性が反転され、Ｎ−ライン毎に以前のラインに対してピクセルの極性が反転される。ここで、Ｎは４である。
【００２５】
図１に示すように、液晶表示装置がＮ−ライン−ドット反転を行う場合、例えば、１番目カラムＣＯＬＵＭＮ＿１に位置したピクセルの充電率差異は、図２に示されたようである。
【００２６】
図２を参照すると、１番目カラムＣＯＬＵＭＮ＿１に位置したピクセルは、１番目データラインを通じて印加されるデータ信号によって充電される。
【００２７】
１番目からＮ番目水平ラインには、基準電圧対比第１極性（例えば、正極性）のデータ信号が印加され、Ｎ＋１番目から２Ｎ番目水平ラインには、基準電圧対比第２極性（例えば、負極性）のデータ信号が印加される。継続して、２Ｎ＋１番目から３Ｎ番目水平ラインには、更に第１極性に反転されたデータ信号が印加される。
【００２８】
このように、Ｎ＋１、２Ｎ＋１、３Ｎ＋１、．．．番目ラインには、以前ラインであるＮ、２Ｎ、３Ｎ、．．．番目ラインの極性に対して反転された極性を有するデータ信号が印加される。また、図２に示すように、極性が反転される途中に充電遅延が存在する。
【００２９】
図３は、本発明の実施例による液晶表示装置を説明するためのブロック図である。
【００３０】
図３を参照すると、液晶表示装置は、タイミング制御部１１０、データ駆動部１３０、スキャン駆動部１５０、駆動電圧発生部１７０、及び液晶表示パネル１９０を含む。
【００３１】
タイミング制御部１１０は、グラフィック機器のような外部装置（図示せず）から入力されるデータ信号を信号処理して、データ駆動部１３０に出力する。
【００３２】
タイミング制御部１１０は、Ｎ−ライン反転方式によるピクセル間の充電率差異を除去するために、全体スキャンラインの個数がｎである場合、ｎ／Ｎ個のダミー（ＤＵＭＭＹ）データ信号を追加にデータ駆動部１３０に出力する（ここで、ｎ、Ｎは、自然数）。前記ダミーデータ信号は任意のデータ信号であるか、以前に入力されたデータ信号である。好ましくは、前記ｎが前記Ｎの倍数である場合には、ｎ／Ｎ−１個のダミーデータ信号を追加して、前記ｎが前記Ｎの倍数ではない場合には、ｎ／Ｎ個のダミーデータ信号を追加する。ここで、ｎ／Ｎは小数部分が除外された正の整数である。
【００３３】
即ち、基準電圧対比第１極性を有するＮ個のスキャンラインに対応するデータ信号を出力し、基準電圧対比第２極性を有するデータ信号を出力する前に、前記第２極性を有するダミーデータ信号をまず出力する。これによって、極性反転時に発生される充電率が低下される部分をダミー処理して、充電率が低下される水平ラインを除去する。例えば、全体スキャンラインが８００個で、１２８−ライン反転を行う液晶表示装置では、タイミング制御部１１０は、６個のダミーデータ信号を１２８番目、１２８×２＋１番目、１２８×３＋２番目、１２８×４＋３番目、１２８×５＋４番目、及び１２８×６＋５番目スキャンラインに対応するデータ信号を出力した後、前記データ信号に対して反転された極性のダミーデータ信号をそれぞれ出力する。
【００３４】
このように、追加されたダミーデータ信号によって、一つのフレーム区間中に出力が遅延されたデータ信号は、一つのフレーム区間内に存在する垂直ブランキング区間に順次に出力する。
【００３５】
タイミング制御部１１０は、前記外部装置から入力される第１制御信号に基づいて、第２乃至第４制御信号を生成する。具体的に、前記第１制御信号は、メインクロック信号ＭＣＬＫ、水平同期信号ＨＳＹＮＣ、垂直同期信号ＶＳＹＮＣ、及びデータイネーブル信号ＤＥを含む。前記第２制御信号は、データ駆動部１３０を制御する水平開始信号ＳＴＨ、反転信号ＲＶＳ、及びロード信号ＴＰを含む。前記第３制御信号は、駆動電圧発生部１７０を制御する信号であって、メインクロック信号ＭＣＬＫ及び反転信号ＲＶＳ等を含む。前記第４制御信号は、スキャン駆動部１５０を制御するスキャン開始信号ＳＴＶ、クロック信号ＣＫ、及び出力イネーブル信号ＯＥ等を含む。
【００３６】
データ駆動部１３０は、第２制御信号に基づいて入力されたデータ信号をアナログ形態のデータ信号Ｄ１、Ｄ２、．．．、Ｄｍに変換して、データラインに出力する。データ駆動部１３０は、全体スキャンラインの個数（ｎ）に対応するｎ個の有効データ信号と、Ｎ−ライン反転方式によって追加された無効データ信号（または、ダミーデータ信号）を出力する。
【００３７】
スキャン駆動部１５０は、第４制御信号に基づいてスキャン信号を生成して、液晶表示パネル１９０のスキャンラインに出力する。前記スキャン信号は、全体スキャンラインの個数（ｎ）に対応するｎ個のスキャン信号と、ダミーデータ信号の個数に対応するダミースキャン信号を生成する。好ましくは、前記ｎが前記Ｎの倍数である場合、追加されたｎ／Ｎ−１個のダミーデータ信号に対応してｎ／Ｎ−１個のダミースキャン信号を生成して、前記ｎが前記Ｎの倍数ではない場合、追加されたｎ／Ｎ個のダミーデータ信号に対応してｎ／Ｎ個のダミースキャン信号を生成する。ここで、ｎ／Ｎは、小数点以下が切り捨てられた正の整数である。
【００３８】
例えば、前記ダミーデータ信号に対応して、Ｎ番目スキャン信号ＳＮとＮ＋１番目スキャン信号ＳＮ＋１にダミースキャン信号ＳＤを生成する。Ｎ番目スキャン信号ＳＮは、Ｎ番目スキャンラインに対応する第１極性のデータ信号がデータラインに出力される時、Ｎ番目スキャンラインＳＬＮに出力され、Ｎ番目スキャンラインＳＬＮを活性化させる。
【００３９】
これに対し、ダミースキャン信号ＳＤは、第２極性のダミーデータ信号がデータラインに出力される時、スキャンラインに出力されないダミー信号であって、データラインに印加された第２極性のダミーデータ信号はピクセルに充電されない。従って、前記第２極性のダミーデータ信号は、液晶表示パネル１９０のピクセルを充電させないので、極性反転時に充電率低下を防止することができる。
【００４０】
駆動電圧発生部１７０は、第３制御信号に基づいて、第１及び第２電源電圧ＶＯＦＦ、ＶＯＮ及び共通電圧ＶＣＯＭ等を発生する。前記第１及び第２電源電圧ＶＯＦＦ、ＶＯＮはスキャン駆動部１５０に提供され、前記共通電圧ＶＣＯＭは液晶表示パネル１９０の液晶キャパシタＣＬＣ及びストレージキャパシタＣＳに提供される。
【００４１】
液晶表示パネル１９０は、アレイ基板、上部基板、及び前記基板の間に介在された液晶層を有する。
【００４２】
前記アレイ基板は、多数のデータライン（ＤＬ１、ＤＬ２、．．．、ＤＬｍ）、及び前記データラインと交差に配線された多数のスキャンライン（ＳＬ１、ＳＬ２、．．．、ＳＬｎ）を有し、前記データライン及びスキャンラインによって定義されるｍ×ｎ個のピクセルを有する。
【００４３】
前記ピクセルは、スイッチング素子ＴＦＴ、液晶キャパシタＣＬＣ、及びストレージキャパシタＣＳを有する。スイッチング素子ＴＦＴのゲート電極はスキャンラインと連結され、ソース電極は前記データラインに連結され、ドレイン電極は液晶キャパシタＣＬＣの第１電極であるピクセル電極と連結される。ストレージキャパシタＣＳは、前記ゲート電極と前記ピクセル電極によって定義される。
【００４４】
前記上部基板は、前記ピクセルに対応する位置にカラーを発現するためのカラーフィルターを有し、前記液晶キャパシタＣＬＣの第２電極である共通電極を有する。前記液晶キャパシタＣＬＣ及び前記ストレージキャパシタの共通電極には、駆動電圧発生部１７０から発生された共通電圧ＶＣＯＭが印加される。
【００４５】
液晶表示装置の駆動装置の実施例１
図４は、本発明の第１実施例による液晶表示装置の駆動装置を説明するためのブロック図である。
【００４６】
図４を参照すると、駆動装置は、タイミング制御部２１０、データ駆動部２３０、スキャン駆動部２５０、及び駆動電圧発生部２７０を含む。
【００４７】
タイミング制御部２１０は、信号処理部２１３、データ処理部２１５、メモリ２１７、及び制御部２１９を含む。
【００４８】
信号処理部２１３は、外部から入力される信号に基づいて、データ駆動部２３０、スキャン駆動部２５０、及び駆動電圧発生部２７０にそれぞれ入力される制御信号を生成する。
【００４９】
即ち、外部のグラフィックコントローラ（図示せず）から入力されるフレーム区別信号である垂直同期信号ＶＳＹＮＣ、水平ライン区別信号である水平同期信号ＨＳＹＮＣ、データ信号が処理される区間にのみハイレベルの信号を出力するデータイネーブル信号ＤＥ、メインクロックＭＣＬＫの入力を受けてデータ駆動部２３０とスキャン駆動部２５０及び駆動電圧発生部２７０に必要な制御信号を生成する。例えば、水平開始信号ＳＴＨ、ロード信号ＴＰ、スキャンクロックＣＫ、垂直開始信号（又は、スキャン開始信号）ＳＴＶ、反転信号ＲＶＳ、スキャン（または、ゲート）出力イネーブル信号ＯＥ等を生成する。
【００５０】
データ処理部２１５は、外部のグラフィックコントローラ（図示せず）から入力されるデータ信号ＤＡＴＡをデータ駆動部２３０で処理することができるように、タイミング及びデータ処理して、信号２１５ａとして、データ駆動部２３０に出力する。
【００５１】
メモリ２１７は、Ｎ−ライン反転方式によって追加されたダミーデータ信号によって出力が遅延されたデータ信号を一時貯蔵する。
【００５２】
制御部２１９は全般的な動作を制御して、メモリ２１７に出力が遅延されるラインのデータ信号を貯蔵して、貯蔵されたラインのデータ信号のうち、データ駆動部２３０で要求するデータ信号を、先入れ先出し方式で読み出す。制御部２１９は、追加されたダミーデータ信号によって、一つのフレーム区間中、出力が遅延されたラインのデータ信号を垂直ブランキング区間中に順次にデータ駆動部２３０に出力させる。
【００５３】
データ駆動部２３０は、水平開始信号ＳＴＨ、ロード信号ＴＰ、反転信号ＲＶＳ等に基づいて、タイミング制御部２１０から出力されるデータ信号及びダミーデータ信号をライン単位のアナログ形態のデータ信号に処理して、データラインに出力する。
【００５４】
スキャン駆動部２５０は、スキャン開始信号ＳＴＶ、出力イネーブル信号ＯＥ、スキャンクロックＣＫ等の制御信号と、駆動電圧発生部２７０から提供されるスキャン電圧ＶＯＮ、ＶＯＦＦに基づいてスキャン信号及びダミースキャン信号を生成して、このうち、スキャン信号のみをスキャンラインに出力する。
【００５５】
駆動電圧発生部２７０は、スキャン駆動部２５０には第１及び第２電源電圧ＶＯＮ、ＶＯＦＦを出力して、液晶表示パネル１９０の液晶キャパシタＣＬＣ及びストレージキャパシタＣＳの共通電極に共通電圧ＶＣＯＭを出力する。
【００５６】
液晶表示装置の駆動方法の実施例１
図５は、本発明の第１実施例による駆動装置の駆動方法を説明するためのタイミング図である。以下では、全体スキャンラインが１２個で、一つのフレーム区間は１６Ｈで、一つのフレーム区間内には４Ｈの垂直ブランキング区間（ＢＬＡＮＫＩＮＧ）を有する液晶表示装置について、３−ライン反転方式を行う場合を例として説明する。
【００５７】
図４及び図５を参照すると、データイネーブル信号ＤＥに基づいて、一つのフレーム区間の間、１番目ラインデータ１Ｌ＿ＤＡＴＡ（ＤＡ）から最後番目ラインデータ１２Ｌ＿ＤＡＴＡ（ＤＡ）が順次に入力される。
【００５８】
１番目ラインデータ１Ｌ＿ＤＡは、データ処理部２１５及びデータ駆動部２３０で基準電圧対比第１極性のデータ信号に処理され、２番目データイネーブル信号ＤＥ＿２に同期され、データラインに出力される（ＤＡＴＡ＿ＯＵＴ）。
【００５９】
このような方式で第１極性の２番目、３番目ラインデータ２Ｌ＿ＤＡ、３Ｌ＿ＤＡは、データイネーブル信号ＤＥ＿３、ＤＥ＿４に順次に同期され、データラインに出力される。
【００６０】
データラインに１番目、２番目、３番目ラインデータ１Ｌ＿ＤＡ、２Ｌ＿ＤＡ、３Ｌ＿ＤＡが順次に出力される時、スキャン駆動部２５０では、１番目、２番目、３番目スキャン信号Ｓ１、Ｓ２、Ｓ３を順次に出力する。
【００６１】
その後、３−ライン反転方式によって、制御部２１９は、３番目ラインデータ３Ｌ＿ＤＡの後にダミーデータＤＭ＿１をデータ駆動部２３０に出力する。前記ダミーデータＤＭ＿１は、メモリ２１７に予め貯蔵された任意のデータであるか、以前ラインデータ（例えば、３Ｌ＿ＤＡ）である。
【００６２】
制御部２１９は、ダミーデータＤＭ＿１を出力する間、入力される４番目ラインデータ４Ｌ＿ＤＡをメモリ２１７に貯蔵する。
【００６３】
ダミーデータＤＭ＿１は、データ駆動部２３０で基準電圧対比第２極性のデータ信号に処理されデータラインに出力され、この時、スキャン駆動部２５０ではダミースキャン信号ＳＤ＿１が生成される。しかし、ダミースキャン信号ＳＤ＿１は、スキャンラインに出力される信号ではないので、データラインに出力される第２極性のダミーデータＤＭ＿１は、液晶表示パネルのピクセルを充電させない。
【００６４】
その後、制御部２１９は、メモリ２１７に貯蔵された４番目ラインデータ４Ｌ＿ＤＡを読み出して、データ駆動部２３０に出力する。
【００６５】
また、制御部２１９は、４番目ラインデータ４Ｌ＿ＤＡが、メモリ２１７から読み出される間に入力される５番目ラインデータ５Ｌ＿ＤＡをメモリ２１７に貯蔵する。
【００６６】
このような方式で第２極性を有する４番目、５番目、６番目ラインデータ４Ｌ＿ＤＡ、５Ｌ＿ＤＡ、６Ｌ＿ＤＡはデータラインに出力される。４番目、５番目、６番目ラインデータ４Ｌ＿ＤＡ、５Ｌ＿ＤＡ、６Ｌ＿ＤＡが順次に出力される時、スキャン駆動部２５０では、４番目、５番目、６番目スキャン信号Ｓ４、Ｓ５、Ｓ６を順次にそれぞれのスキャンラインに出力する。
【００６７】
また、このような方式で第１極性を有する７番目、８番目、９番目ラインデータ７Ｌ＿ＤＡ、８Ｌ＿ＤＡ、９Ｌ＿ＤＡはデータラインに出力される。７番目、８番目、９番目ラインデータ７Ｌ＿ＤＡ、８Ｌ＿ＤＡ、９Ｌ＿ＤＡが順次に出力される時、スキャン駆動部２５０では７番目、８番目、９番目スキャン信号Ｓ７、Ｓ８、Ｓ９を順次にそれぞれのスキャンラインに出力する。
【００６８】
制御部２１９は、９番目ラインデータ９Ｌ＿ＤＡの後にダミーデータＤＭ＿２をデータ駆動部２３０に出力する。前記ダミーデータＤＭ＿２は、メモリ２１７に予め貯蔵された任意のデータであるか、以前のラインデータ（例えば、９Ｌ＿ＤＡ）である。
【００６９】
スキャン駆動部２５０は、ダミーデータＤＭ＿２及び７番目、８番目、９番目ラインデータ７Ｌ＿ＤＡ、８Ｌ＿ＤＡ、９Ｌ＿ＤＡが７番目、８番目、９番目データラインＤＬ７、ＤＬ８、ＤＬ９に出力される間に、ダミースキャン信号ＳＤ＿２及び７番目、８番目、９番目スキャン信号Ｓ７、Ｓ８、Ｓ９を出力する。
【００７０】
追加された３個のダミーデータＤＭ＿１、ＤＭ＿２、ＤＭ＿３によって、一つのフレーム区間中に出力されない１０番目、１１番目、１２番目ラインデータ１０Ｌ＿ＤＡ、１１Ｌ＿ＤＡ、１２Ｌ＿ＤＡは、メモリ２１７に貯蔵され、垂直ブランキング区間の間に順次に処理され、データラインに出力される。
【００７１】
制御部２１９は、１３番目データイネーブル信号ＤＥ＿１３の間、ダミーデータＤＭ＿３をデータ駆動部２３０に出力して、以後、データイネーブル信号に同期を合わせて、１０番目、１１番目、１２番目ラインデータ１０Ｌ＿ＤＡ、１１Ｌ＿ＤＡ、１２Ｌ＿ＤＡを順次にデータ駆動部２３０に出力する。
【００７２】
従って、垂直ブランキング区間の間、ダミーデータ、１０番目、１１番目、１２番目ラインデータＤＭ＿３、１０Ｌ＿ＤＡ、１１Ｌ＿ＤＡ、１２Ｌ＿ＤＡがデータラインに順次に出力される。
【００７３】
これに同期させて、スキャン駆動部２５０では、ダミースキャン信号、１０番目、１１番目、１２番目スキャン信号ＳＤ＿３、Ｓ１０、Ｓ１１、Ｓ１２を順次にそれぞれのスキャンラインに出力する。
【００７４】
このようにＮ−ライン反転方式によって充電率が低下される特定ラインＴをダミーデータ及びダミースキャン信号を用いて除去する。
【００７５】
液晶表示装置の駆動方法の実施例２
図６は、本発明の第２実施例による駆動装置の駆動方法を説明するためのタイミング図である。前記第２実施例による駆動装置は、前記した第１実施例による駆動装置と同じ構成要素を有し、同じ構成要素には同じ参照符号を付与する。
【００７６】
図６を参照すると、追加されたダミーデータによって遅延されたデータをメモリに一時貯蔵して、垂直ブランキング区間中に順次に駆動させる方法は、前記した第１実施例による駆動方法と同様である。但し、前記第２実施例による駆動方法の特徴は、スキャン信号が２Ｈ区間に対応するパルス幅を有する。
【００７７】
具体的に、例えば、データ駆動部２３０で２番目ラインデータ２Ｌ＿ＤＡが出力される時、スキャン駆動部２５０は、２番目スキャン信号Ｓ２を以前に出力された１番目スキャン信号Ｓ１と１Ｈ区間程度オーバーラップされる２Ｈのパルス幅を有する信号を出力する。
【００７８】
２番目スキャン信号Ｓ２は、１番目ラインデータ１Ｌ＿ＤＡが１番目水平ラインのピクセルに充電される時、１番目ラインデータ１Ｌ＿ＤＡを２番目水平ラインのピクセルに予め充電させて、２番目ラインデータ２Ｌ＿ＤＡが出力される時、２番目スキャンラインＳＬ２を活性化させて２番目水平ラインのピクセルを充電させる。従って、オーバーラップされたスキャン信号によると、同一の第１極性のデータ信号によって充電されるピクセルの充電率を向上させる。
【００７９】
また、スキャン駆動部２５０は、ダミーデータＤＭ＿１が出力される時、３番目スキャン信号Ｓ３と１Ｈ区間程度オーバーラップされたダミースキャン信号ＳＤ＿１を生成して、ダミーデータＤＭ＿１をダミー処理する。従って、第１極性から第２極性に反転される３番目ラインデータ３Ｌ＿ＤＡとダミーデータＤＭ＿１に対しては、ダミースキャン信号ＳＤ＿１を利用して、充電率が低下されることを除去する。
【００８０】
その後、スキャン駆動部２５０は、４番目ラインデータ４Ｌ＿ＤＡが出力される時、ダミースキャン信号ＳＤ＿１と１Ｈ区間程度オーバーラップされた４番目スキャン信号Ｓ４を出力する。
【００８１】
結果的に、３番目スキャン信号Ｓ３と４番目スキャン信号Ｓ４との間には、実質的に遅延が発生されない。従って、前記した第１実施例のダミースキャン信号ＳＤ＿１によって３番目スキャン信号Ｓ３の後に１Ｈ遅延され、４番目スキャン信号Ｓ４が出力されることを解決することができる。
【００８２】
液晶表示装置の駆動装置の実施例２
図７は、本発明の第２実施例による液晶表示装置の駆動装置を説明するためのブロック図である。
【００８３】
図７を参照すると、駆動装置は、タイミング制御部４１０、データ駆動部４３０、スキャン駆動部４５０、駆動電圧発生部４７０を含む。
【００８４】
タイミング制御部４１０は、第１信号処理部４１１、第２信号処理部４１３、データ処理部４１５、メモリ４１７、及び制御部４１９を含む。
【００８５】
第１信号処理部４１１は、制御部４１９の制御によって、外部のグラフィックコントローラ（図示せず）から入力される第１制御信号をＮ−ライン反転方式に対応して追加されるダミー信号を処理するための第２制御信号を生成する。
【００８６】
具体的に、一つのフレーム周期内のデータイネーブル信号ＤＥに対するクロック数をＰＬＬ（ＰＨＡＳＥ  ＬＯＣＫＥＤ  ＬＯＯＰ）回路等を利用して、実質的な有効データ信号とＮ−ライン反転方式によるダミーデータ信号に対応するクロック数を有するように、データイネーブル信号ＤＥ’のクロック数を調整する。
【００８７】
例えば、８００個のスキャンラインを有する液晶表示装置において、３２−ライン反転を行う場合、８００／３２＝２５個のダミーデータ信号と、それに対応するダミースキャン信号が追加される。これによって、３２個のデータ信号を処理する時間を３２個のデータ信号と１個のダミーデータ信号を処理することができる時間、即ち、３３個のデータ信号を処理することができる時間に調整する。
【００８８】
また、第１信号処理部４１１は、水平同期信号ＨＳＹＮＣ及び垂直同期信号ＶＳＹＮＣに応答して調整された水平同期信号及び調整された垂直同期信号を第２信号処理部４１３に印加する。
【００８９】
好ましくは、スキャンラインがｎ個で、Ｎライン反転を行う場合、前記ｎが前記Ｎの倍数である場合には、ｎ個のクロック数をｎ＋（ｎ／Ｎ−１）個のクロック数に調整され、前記ｎが前記Ｎの倍数ではない場合には、ｎ個のクロック数をｎ＋（ｎ／Ｎ）個のクロック数に調整する。ここで、ｎ／Ｎは小数以下を切り捨てた正の整数である。
【００９０】
第２信号処理部４１３は、データ駆動部４３０、スキャン駆動部４５０、及び駆動電圧発生部４７０にそれぞれ入力される制御信号を生成する。第１信号処理部４１１から提供される調整されたデータイネーブル信号ＤＥ’に基づいて、データ駆動部４３０とスキャン駆動部４５０と駆動電圧発生部４７０に必要な制御信号を生成する。
【００９１】
例えば、第２信号処理部４１３は、水平開始信号ＳＴＨ、ロード信号ＴＰ、スキャンクロックＣＫ、垂直開始信号（又は、スキャン開始信号）ＳＴＶ、反転信号ＲＶＳ、スキャン（又は、ゲート）出力イネーブル信号ＯＥ等を生成する。
【００９２】
データ処理部４１５は、外部のグラフィックコントローラ（図示せず）から入力されるデータ信号をデータ駆動部４３０で処理することができるように、タイミング及びデータ処理して、信号４１５ａとしてデータ駆動部４３０に出力する。
【００９３】
メモリ４１７は、入力されるデータ信号を一時貯蔵する。
【００９４】
制御部４１９は全般的な動作を制御して、ダミーデータ信号によって遅延されたデータ信号をメモリ４１７に一時貯蔵して、貯蔵されたデータ信号をデータ駆動部４３０の要求によって読み出す。
【００９５】
データ駆動部４３０は、水平開始信号ＳＴＨ、ロード信号ＴＰ、反転信号ＲＶＳ等に基づいて、データ信号及びダミーデータ信号をライン単位のアナログ形態のデータ信号に処理して液晶表示パネルに出力する。
【００９６】
スキャン駆動部４５０は、スキャン開始信号ＳＴＶ、出力イネーブル信号ＯＥ、スキャンクロックＣＫ等の制御信号と、駆動電圧発生部４７０から提供されるスキャン電圧ＶＯＮ、ＶＯＦＦに基づいて、スキャン信号及びダミースキャン信号を液晶表示パネル（図示せず）に出力する。
【００９７】
駆動電圧発生部４７０は、スキャン駆動部４５０には第１及び第２電源電圧ＶＯＮ、ＶＯＦＦを出力して、液晶表示パネル（図示せず）の液晶キャパシタＣＬＣ及びストレージキャパシタＣＳの共通電極に共通電圧ＶＣＯＭを出力する。
【００９８】
液晶表示装置の駆動方法の実施例３
図８は、前記した第３実施例による駆動装置の駆動方法を説明するためのタイミング図である。以下では、全体スキャンラインの個数は１２であり、これによって一つのフレーム区間内に１２Ｈのスキャニング区間を有し、３−ライン反転方式を行う場合を例として説明する。
【００９９】
図８を参照すると、外部から入力された原始データイネーブル信号ＤＥは、第１信号処理部４１１で３−ライン反転方式に対応して追加されるダミー信号を処理するために調整されたデータイネーブル信号ＤＥ’を生成する。
【０１００】
図示されたように、調整されたデータイネーブル信号ＤＥ’は、３個の原始データイネーブル信号ＤＥ区間の間、４個のデータイネーブル信号ＤＥ’を有する。
【０１０１】
制御部４１９は、原始データイネーブル信号ＤＥ＿１の間に入力される１番目ラインデータ１Ｌ＿ＤＡはメモリ４１７に一時貯蔵して、貯蔵された１番目ラインデータ１Ｌ＿ＤＡが読み出されて処理される間、次データである２番目ラインデータ２Ｌ＿ＤＡを一時貯蔵する。このような方式でメモリ４１７には、入力されるデータが順次に一時貯蔵され、出力される。
【０１０２】
即ち、原始データイネーブル信号ＤＥに基づいて入力されるデータは一時貯蔵され、貯蔵されたデータは、調整されたデータイネーブル信号ＤＥ’に基づいて読み出される。
【０１０３】
調整されたデータイネーブル信号ＤＥ’に基づいて、１番目、２番目、３番目ラインデータ１Ｌ＿ＤＡ、２Ｌ＿ＤＡ、３Ｌ＿ＤＡは順次にメモリ４１７から読み出される。
【０１０４】
データ駆動部４３０は、１番目、２番目、３番目ラインデータ１Ｌ＿ＤＡ、２Ｌ＿ＤＡ、３Ｌ＿ＤＡを調整されたデータイネーブル信号ＤＥ’に基づいて、基準電圧対比第１極性のデータ信号に処理してデータラインに出力する。
【０１０５】
この際、スキャン駆動部４５０では、１番目、２番目、３番目ラインデータ１Ｌ＿ＤＡ、２Ｌ＿ＤＡ、３Ｌ＿ＤＡの出力に同期させて、１番目、２番目、３番目スキャン信号Ｓ１、Ｓ２、Ｓ３を順次にスキャンラインに出力する。
【０１０６】
第１極性の３番目ラインデータ３Ｌ＿ＤＡが出力されると、制御部４１９は、ダミーデータＤＭ＿１をデータ駆動部４３０に出力する。データ駆動部４３０は、ダミーデータＤＭ＿１を基準電圧対比第２極性のデータ信号に処理して、データラインに出力する。この際、スキャン駆動部４５０は、ダミーデータ信号ＤＭ＿１に対応するダミースキャン信号ＳＤ＿１を生成する。生成されたダミースキャン信号ＳＤ＿１は、スキャンラインに出力されず、これによってデータラインに出力されるダミーデータＤＭ＿１は、液晶表示パネルを実質的に駆動させない。
【０１０７】
以後、第２極性の４番目、５番目、６番目ラインデータ４Ｌ＿ＤＡ、５Ｌ＿ＤＡ、６Ｌ＿ＤＡをデータラインに出力する。４番目、５番目、６番目ラインデータ４Ｌ＿ＤＡ、５Ｌ＿ＤＡ、６Ｌ＿ＤＡがデータラインに順次に出力される時、スキャン駆動部４５０では、４番目、５番目、６番目スキャン信号Ｓ４、Ｓ５、Ｓ６が順次に出力される。
【０１０８】
調整されたデータイネーブル信号ＤＥ’によって１２個のラインデータと３個のダミーデータ信号は、一つのフレーム内のスキャニング区間（ＳＣＡＮＮＩＮＧ）の間に処理され、データラインに出力される。また、１２個のスキャン信号と３個のダミースキャン信号も、前記１２個のラインデータと３個のダミーデータに対応して出力される。
【０１０９】
このように、Ｎ−ライン反転方式によって充電率が低下される特定部分Ｔをダミーデータ及びダミースキャン信号を用いて除去する。
【０１１０】
液晶表示装置の駆動方法の実施例４
図９は、本発明の第４実施例による駆動装置の駆動方法を説明するためのタイミング図である。前記第４実施例による駆動装置は、前記した第３実施例による駆動装置と同じ構成要素を有し、同じ構成要素には同じ参照符号を付与する。
【０１１１】
図９を参照すると、原始データイネーブル信号ＤＥのクロック数をＮ−ライン反転方式によって調整して、調整されたクロック数を有するデータイネーブル信号ＤＥ’に基づいて駆動する方法は、前記した第３実施例による駆動方法と同じである。但し、前記第４実施例による駆動方法の特徴は、スキャン信号が２Ｈ区間に対応するパルス幅を有する。
【０１１２】
具体的に、例えば、データ駆動部４３０で２番目ラインデータ２Ｌ＿ＤＡが出力される時、スキャン駆動部４５０は、２番目スキャン信号Ｓ２を以前に出力された１番目スキャン信号Ｓ１と１Ｈ区間程度オーバーラップされる２Ｈのパルス幅を有する信号を出力する。
【０１１３】
２番目スキャン信号Ｓ２は、１番目ラインデータ１Ｌ＿ＤＡが１番目水平ラインのピクセルに充電される時、１番目ラインデータ１Ｌ＿ＤＡを２番目水平ラインのピクセルに予め充電させて、２番目ラインデータ２Ｌ＿ＤＡが出力される時、２番目スキャンラインＳＬ２を活性化させて２番目水平ラインのピクセルを充電させる。従って、オーバーラップされたスキャン信号によると、同一の第１極性のデータ信号によって充電されるピクセルの充電率を向上させる。
【０１１４】
また、スキャン駆動部４５０は、ダミーデータＤＭ＿１が出力される時、３番目スキャン信号Ｓ３と１Ｈ区間程度オーバーラップされたダミースキャン信号ＳＤ＿１を生成して、ダミーデータＤＭ＿１をダミー処理する。従って、第１極性から第２極性に反転される３番目ラインデータ３Ｌ＿ＤＡとダミーデータＤＭ＿１に対しては、ダミースキャン信号ＳＤ＿１を利用して、充電率が低下されることを除去する。
【０１１５】
その後、スキャン駆動部４５０は、４番目ラインデータ４Ｌ＿ＤＡが出力される時、ダミースキャン信号ＳＤ＿１と１Ｈ区間程度オーバーラップされた４番目スキャン信号Ｓ４を出力する。
【０１１６】
結果的に、３番目スキャン信号Ｓ３と４番目スキャン信号Ｓ４との間には、実質的に遅延が発生されない。従って、前記した第１実施例のダミースキャン信号ＳＤ＿１によって３番目スキャン信号Ｓ３の後に１Ｈ遅延され、４番目スキャン信号Ｓ４が出力されることを解決することができる。
【０１１７】
スキャン駆動部の実施例１
図１０は、図３に図示されたスキャン駆動部に対する第１実施例を説明するための図である。スキャン駆動部は集積回路（ＩＣ）で構成され、液晶表示パネルのアレイ基板上に実装される。
【０１１８】
図１０を参照すると、多数のスキャンラインが形成された前記アレイ基板上の側面には、スキャン駆動ＩＣを実装するためのＩＣパッド１５１が形成される。ＩＣパッド１５１は、スキャン駆動ＩＣの出力端子と接触する接触端子ＣＮＴ＿１、ＣＮＴ＿２、．．．、ＣＮＴ＿ｎ＋Ｋを有する。
【０１１９】
前記接触端子ＣＮＴ＿１、ＣＮＴ＿２、．．．、ＣＮＴ＿ｎ＋Ｋは、前記アレイ基板上に形成された多数のスキャンラインＳＬ１、ＳＬ２、．．．、ＳＬｎと連結され、前記接触端子は、Ｎ−ライン反転方式に対応してＫ個追加されたダミースキャン信号に対応して、ｎ＋Ｋ個の接触端子を有する。
【０１２０】
即ち、Ｎ番目接触端子ＣＮＴ＿Ｎは、Ｎ番目スキャンラインＳＬ＿Ｎと連結され、Ｎ＋１番目接触端子ＣＮＴ＿Ｎ＋１はスキャンラインと連結されず、Ｎ＋２番目接触端子ＣＮＴ＿Ｎ＋２は、Ｎ＋１番目スキャンラインＳＬ＿Ｎ＋１と連結される。同様な方式で、２Ｎ＋２、３Ｎ＋３、．．．番目接触端子ＣＮＴ＿２Ｎ＋２、ＣＮＴ＿３Ｎ＋３、．．．もスキャンラインと連結されない。
【０１２１】
即ち、前記スキャン駆動ＩＣのＮ＋１、２Ｎ＋２、．．．番目出力端子と連結されるＩＣパッド１５１のＮ＋１、２Ｎ＋２、．．．番目接触端子ＣＮＴ＿Ｎ＋１、ＣＮＴ＿２Ｎ＋２、．．．は、スキャンラインと連結されないので、前記スキャン駆動ＩＣから出力されるＮ＋１、２Ｎ＋２、．．．、番目スキャン信号は、実質的に液晶表示パネルに供給されないダミー信号になる。
【０１２２】
スキャン駆動部の実施例２
図１１は、図３に図示されたスキャン駆動部に対する第２実施例を説明するための図である。
【０１２３】
図１１を参照すると、多数のスキャンラインが形成された前記アレイ基板上の側面には、スキャン駆動ＩＣ１５２が実装され、スキャン駆動ＩＣ１５２は、アレイ基板上に形成されたスキャンラインＳＬ１、ＳＬ２、．．．、ＳＬｎの個数に対応する出力端子ＯＵＴ＿１、ＯＵＴ＿２、．．．、ＯＵＴ＿ｎを有する。
【０１２４】
スキャン駆動ＩＣ１５２は、前記スキャンラインＳＬ１、ＳＬ２、．．．、ＳＬｎに対応するスキャン信号Ｓ１、Ｓ２、．．．、Ｓｎと、Ｎ−ライン反転方式に対応してＫ個のスキャン信号を生成する。
【０１２５】
スキャン駆動ＩＣ１５２は、生成されたｎ＋Ｋ個のスキャン信号のうち、スキャンラインＳＬ１、ＳＬ２、．．．、ＳＬｎに対応するｎ個のスキャン信号のみを出力して、Ｋ個のスキャン信号は出力されない。
【０１２６】
即ち、スキャン駆動ＩＣ１５２は、生成されたＮ番目スキャン信号ＳＮをＮ番目出力端子ＯＵＴＮに出力して、次に生成されたスキャン信号ＳＮ＋１は出力端子がないので出力されず、次に生成されたＮ＋２番目スキャン信号ＳＮ＋２をＮ＋１番目出力端子ＯＵＴＮ＋１に出力する。
【０１２７】
従って、Ｎ＋１、２Ｎ＋２、３Ｎ＋３、．．．番目スキャン信号ＳＮ＋１、Ｓ２Ｎ＋２、Ｓ３Ｎ＋３、．．．は、スキャンラインに出力されないダミー信号になる。
【０１２８】
スキャン駆動部の実施例３
図１２は、図３に図示されたスキャン駆動部に対する第３実施例を説明するための図である。図示されたスキャン駆動部１５３は、アレイ基板上の一側面に集積される構造を有する。前記アレイ基板上に形成されたスイッチング素子は、下部に形成されたアモルファス−シリコン（ａ−Ｓｉ）層と上部に形成されたＮ＋ドーピングされたアモルファス−シリコン（ａ−Ｓｉ）層にチャンネル層を定義するアモルファス−シリコン薄膜トランジスタ（ａ−Ｓｉ  ＴＦＴ）で形成される。
【０１２９】
図１２を参照すると、スキャン駆動部１５３は、複数のステージＳＲＣ１〜ＳＲＣｎが従属連結された一つのシフトレジスタで構成される。即ち、各ステージの出力端子ＯＵＴが次ステージの入力端子ＩＮに連結されることによって、前記各ステージが従属的に連結される。前記各ステージは、複数のアモルファス−シリコン薄膜トランジスタ（ａ−Ｓｉ  ＴＦＴ）で構成される。
【０１３０】
前記シフトレジスタは、スキャンラインＳＬ１〜ＳＬｎに対応するｎ個のスキャン信号及びＮ−ライン反転方式によって、Ｋ個追加されたダミースキャン信号を生成するｎ＋Ｋ個のステージＳＲＣ１〜ＳＲＣｎ＋Ｋと、最後ステージＳＲＣｎ＋Ｋに制御信号を提供する制御ステージＳＲＣｎ＋Ｋ＋１で構成される。
【０１３１】
各ステージは、入力端子ＩＮ、出力端子ＯＵＴ、制御端子ＣＴ、クロック信号入力端子ＣＫ、第１電源電圧端子ＶＯＦＦ、及び第２電源電圧端子ＶＯＮを有する。
【０１３２】
一番目ステージの入力端子ＩＮには、動作開始信号としてスキャン開始信号ＳＴＶが入力され、残りステージの入力端子ＩＮには、前記開始信号として以前ステージの出力信号が入力される。勿論、ステージ毎にキャリー信号を発生するキャリー信号発生部を更に具備させて、前記キャリー信号を残りステージの入力端子ＩＮに供給することもできる。
【０１３３】
各ステージの出力端子ＯＵＴ１〜ＯＵＴｎは、スキャンラインＳＬ１〜ＳＬｎに連結される。奇数番目ステージＳＲＣ１、ＳＲＣ３には第１クロック信号ＣＫが提供され、偶数番目ステージＳＲＣ２、ＳＲＣ４には第２クロック信号ＣＫＢが提供される。この際、第１クロック信号ＣＫと第２クロック信号ＣＫＢは、互いに反対される位相を有する。
【０１３４】
各ステージの制御端子ＣＴには、次ステージの出力信号ＯＵＴが制御信号として入力される。即ち、制御端子ＣＴに入力される制御信号は、以前ステージの出力信号をローレベルにダウンさせるリセット機能を行う。
【０１３５】
一方、Ｎ−ライン反転方式によって、Ｎ＋１、２Ｎ＋１番目ステージＳＣＲＮ＋１、ＳＣＲ２Ｎ＋１の出力信号は、スキャンラインに出力されず、但し、以前ステージの制御信号及び次ステージの入力信号にのみ提供される。Ｎ＋１、２Ｎ＋２番目ステージＳＣＲＮ＋１、ＳＣＲ２Ｎ＋２の出力信号は、実質的に出力されないダミー信号になる。
【０１３６】
従って、スキャン駆動部１５３のスキャンラインＳＬ１〜ＳＬｎに対応する出力端子ＯＵＴ１〜ＯＵＴｎを有し、順次に生成されたスキャン信号Ｓ１〜Ｓｎは、スキャンラインＳＬ１〜ＳＬｎに順次に出力される。
【０１３７】
スキャン駆動部の実施例４
図１３は、図３に図示されたスキャン駆動部に対する第４実施例を説明するための図である。
【０１３８】
前記第４実施例のスキャン駆動部は、一つの水平ライン内に形成されたピクセルのうち、奇数番目ピクセルをアクティブさせる奇数番目スキャン信号を出力する第１スキャン駆動部１５５と、偶数番目ピクセルをアクティブさせる偶数番目スキャン信号を出力する第２スキャン駆動部１５６を有し、第１及び第２スキャン駆動部１５５、１５６は、液晶表示パネルの互いに対向する側面に集積される。
【０１３９】
図１３を参照すると、第１スキャン駆動部１５５は、複数のステージＳＣＲ１〜ＳＣＲ２ｎ＋２Ｋ−１が従属連結された一つのシフトレジスタで構成され、各ステージの出力端子は奇数番目スキャンラインＳＬ１〜ＳＬｎ―１と連結される。
【０１４０】
前記第２スキャン駆動部１５６は、複数のステージＳＣＲ２〜ＳＣＲ２ｎ＋２Ｋが従属連結された一つのシフトレジスタで構成され、各ステージの出力端子は、偶数番目スキャンラインＳＬ２〜ＳＬ２ｎ−１と連結される。
【０１４１】
また、第１及び第２スキャン駆動部１５５、１５６は、最後ステージに制御信号を提供するための制御ステージＳＣＲ２ｎ＋２Ｋ＋１、ＳＣＲ２ｎ＋２Ｋ＋２をそれぞれ有する。
【０１４２】
前記第１スキャン駆動部１５５及び第２スキャン駆動部１５６は、調整されたスキャン開始信号ＳＴＶ及びクロック信号ＣＫに基づいて、それぞれ独立的に駆動される。
【０１４３】
具体的に、第１スキャン駆動部１５５に入力されるクロック信号ＣＫに対して、１／２Ｈ遅延されたクロック信号ＣＫを第２スキャン駆動部１５６に入力させる。従って、第１スキャン駆動部１５５と第２スキャン駆動部１５６から奇数番目スキャン信号と偶数番目スキャン信号が交互に出力される。
【０１４４】
一方、Ｎ−ライン反転方式によって、第１及び第２スキャン駆動部１５５、１５６は、ｎ個のスキャンラインに対応して、２ｎ個のスキャン信号を出力する２ｎ個のステージ外に追加されたＫ個のダミーデータ信号に対応する２Ｋ個のダミースキャン信号を生成する２Ｋ個のステージを更に含む。
【０１４５】
即ち、２Ｎ＋１番目及び２Ｎ＋２番目ステージＳＲＣ２Ｎ＋１、ＳＲＣ２Ｎ＋２の出力端子は、スキャンラインと連結されず、これから出力されるスキャン信号はダミー信号になる。
【０１４６】
但し、２Ｎ＋１番目及び２Ｎ＋２番目ステージＳＲＣ２Ｎ＋１、ＳＲＣ２Ｎ＋２の出力信号は、以前ステージである２Ｎ−１番目及び２Ｎ−２番目ステージＳＣＲ２Ｎ−１、ＳＣＲ２Ｎ−２の出力を制御する制御信号として提供され、以後ステージである２Ｎ＋３番目及び２Ｎ＋４番目ステージＳＣＲ２Ｎ＋３、ＳＣＲ２Ｎ＋４の入力信号として提供される。
【産業上の利用可能性】
【０１４７】
以上で説明したように、本発明によると、Ｎ−ライン反転時、電圧降下による充電率低下現象を除去することができる。
【０１４８】
前記した充電率低下現象を解決することによって、高解像度製品の具現が可能であり、高周波数駆動を可能にして、動画像具現に競争力を有することができる。
【０１４９】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【０１５０】
【図１】Ｎ−ライン反転方式を説明するための図である。
【図２】図１に図示されたＮ−ライン反転方式による反転ピクセルの充電率差異を説明するための図である。
【図３】本発明の実施例による液晶表示装置を説明するためのブロック図である。
【図４】本発明の第１実施例による液晶表示装置の駆動装置を説明するためのブロック図である。
【図５】本発明の第１実施例による駆動装置の駆動方法を説明するためのタイミング図である。
【図６】本発明の第２実施例による駆動装置の駆動方法を説明するためのタイミング図である。
【図７】本発明の第２実施例による液晶表示装置の駆動装置を説明するためのブロック図である。
【図８】本発明の第３実施例による駆動装置の駆動方法を説明するためのタイミング図である。
【図９】本発明の第４実施例による駆動装置の駆動方法を説明するためのタイミング図である。
【図１０】図３に図示されたスキャン駆動部の第１実施例を説明するための図である。
【図１１】図３に図示されたスキャン駆動部の第２実施例を説明するための図である。
【図１２】図３に図示されたスキャン駆動部の第３実施例を説明するための図である。
【図１３】図３に図示されたスキャン駆動部の第４実施例を説明するための図である。
【符号の説明】
【０１５１】
１１０、２１０、４１０…タイミング制御部、
１３０、２３０、４３０…データ駆動部、
１５０、２５０、４５０…スキャン駆動部、
１５１…ＩＣパッド、
１５３、１５５、１５６…スキャン駆動部、
１７０、２７０、４７０…駆動電圧発生部、
１９０…液晶表示パネル、
２１３、４１１、４１３…信号処理部、
２１５、４１５…データ処理部、
２１５ａ、４１５ａ…信号、
２１７、４１７…メモリ、
２１９、４１９…制御部。
【図１】
2006039542.tif 000003
【図２】
2006039542.tif 000004
【図３】
2006039542.tif 000005
【図４】
2006039542.tif 000006
【図５】
2006039542.tif 000007
【図６】
2006039542.tif 000008
【図７】
2006039542.tif 000009
【図８】
2006039542.tif 000010
【図９】
2006039542.tif 000011
【図１０】
2006039542.tif 000012
【図１１】
2006039542.tif 000013
【図１２】
2006039542.tif 000014
【図１３】
2006039542.tif 000015